(57)【要約】  本発明は、転動体を案内する保持器ポケット（０２）を持つ保持器（０１）を持つ転がり軸受であって、転動体が転がり軸受の少なくとも軸線方向に軸線方向遊びをもって保持器ポケット（０２）内に案内され、それにより軸線方向の保持器ポケット遊隙が与えられているものに関する。本発明によれば、複数の保持器ポケット（０２）における軸線方向の保持器ポケット遊隙が、０．０７ｍｍと０．１７ｍｍの間にある値を持っている。
2009537772.tif 000002
【特許請求の範囲】
【請求項１】
転動体を案内する保持器ポケット（０２）を持つ保持器（０１）を持つ転がり軸受であって、転動体が転がり軸受の少なくとも軸線方向に軸線方向遊びをもって保持器ポケット（０２）内に案内され、それにより軸線方向の保持器ポケット遊隙が与えられているものにおいて、複数の保持器ポケットにおける軸線方向の保持器ポケット遊隙が、０．０７ｍｍと０．１７ｍｍの間にある値を持っていることを特徴とする、転がり軸受。
【請求項２】
転動体が転がり軸受の半径方向（０７）に半径方向遊びをもって保持器ポケット（０２）内に案内され、それにより複数の保持器ポケット（０２）内に０．３０ｍｍと０．６０ｍｍの間の値を持つ半径方向の保持器ポケット遊隙が与えられていることを特徴とする、請求項１に記載の転がり軸受。
【請求項３】
半径方向の保持器ポケット遊隙が、軸線方向の保持器ポケット遊隙に対して幾何学的に関係していることを特徴とする、請求項１又は２に記載の転がり軸受。
【請求項４】
複数の保持器ポケット（０２）における軸線方向の保持器ポケット遊隙が０．０９ｍｍと０．１１ｍｍの間の値を持っていることを特徴とする、請求項１又は２に記載の転がり軸受。
【請求項５】
複数の保持器ポケット（０２）における半径方向の保持器ポケット遊隙が０．３５ｍｍと０．４５ｍｍの間の値を持っていることを特徴とする、請求項２又は３に記載の転がり軸受。
【請求項６】
すべての保持器ポケット（０２）における軸線方向の保持器ポケット遊隙が同じ値を持っていることを特徴とする、請求項１〜４の１つに記載の転がり軸受。
【請求項７】
すべての保持器ポケット（０２）における半径方向の保持器ポケット遊隙が同じ値を持っていることを特徴とする、請求項２に記載の転がり軸受。
【請求項８】
転動体が同じ大きさの玉として形成され、保持器ポケット（０２）が楕円体状内面を持ち、軸線方向の保持器ポケット遊隙の厚さが、軸線方向（０４）における楕円体の直径と玉の直径との差に一致していることを特徴とする、請求項１〜６の１つに記載の転がり軸受。
【請求項９】
半径方向の保持器ポケット遊隙が、半径方向（０７）における楕円体の直径と玉の直径との差に一致していることを特徴とする、請求項７に記載の転がり軸受。
【請求項１０】
保持器（０１）が１つ又は複数の部分から構成され、特に２つの相補的な保持器半分から成り、これらの保持器半分が個々の保持器ポケット（０２）の結合個所（０３）で結合手段により結合されていることを特徴とする、請求項１〜８の１つに記載の転がり軸受。
【請求項１１】
保持器（０１）が金属板、プラスチック、真ちゅう又は硬質織物から成っていることを特徴とする、請求項９に記載の転がり軸受。
【請求項１２】
転がり軸受が玉軸受として構成され、また転動体が玉として構成され、特に玉が５ｍｍと２５ｍｍの間の範囲の値を持つ玉直径を持っていることを特徴とする、先行する請求項の１つに記載の転がり軸受。
【発明の詳細な説明】
【技術分野】
【０００１】  本発明は、転動体を案内する保持器を持つ転がり軸受に関する。
【背景技術】
【０００２】  転がり軸受は、特定の作動状態で増大する騒音を生じ、この騒音は多くの使用において有害であるか、又は軸受の使用を排除する。転動体を案内する板又は硬質織物から成る保持器を持つ転がり軸受では、騒音が特に転動体による保持器の励振によって生じる。【０００３】  ドイツ連邦共和国特許第１９７８１３２０号明細書から、組合わされる中空レースとして形成されるレースを持つ騒音の少ない転がり軸受が公知である。中空レースは、転動体に接触する第１のレース部分と、第１のレース部分を包囲する第２のレース部分から成っている。レース部分の間には遊びが形成されて、油又は他の液体を満たされている。第１のレース部分の転動路は、１つ又は複数の弾性転動路湾曲部により、部分的に円形とは相違している。各時点に若干の転動体が予荷重をかけられ、それにより支持される軸も同様に半径方向予荷重を受ける。従って軸は、僅かな固有運動の可能性しか持っていないので、騒音の発生が少ない。この解決策の欠点は、液体を満たされる間隙の組立てに必要な大きい費用である。液体は圧力を受けていなければならず、そのため密封のための適当な手段が必要である。更に予荷重のためレース上における転動体の転がり摩擦が高められる、という欠点がある。更に保持器と転動体との間の相互作用により生じる騒音が僅かしか減衰されない。【０００４】  騒音減少のため例えばドイツ連邦共和国特許出願公開第１０８３３５３号明細書から公知のように、減衰作用を示す特別なグリースも使用される。しかしこのグリースは、僅かな耐熱性のため高い軸受温度では使用されない。【０００５】  従来技術による転がり軸受の保持器は、特定の作動状態において転動体により規則正しく励振されて、機能に従う回転のほかに特に半径方向の振動も行うという、問題を示す。転がり軸受がこのような作動状態になると、永続的な作動騒音を発生し、これに対して保持器の振動が最大の割合を持っている。保持器の振動は転がり軸受及び機械の別の部分へ伝達され、それにより大きい摩耗が生じる可能性がある。
【発明の開示】
【発明が解決しようとする課題】
【０００６】  従って本発明の課題は、転動体の転がり摩擦を感じられるほど増大することなしに、簡単に実現される手段により作動騒音を低下される保持器を持つ転がり軸受を提供することである。
【課題を解決するための手段】
【０００７】  この課題は請求項に記載の転がり軸受によって解決される。【０００８】  本発明は、騒音を生じる保持器の振動が、特に保持器ポケット内における転動体の大きすぎる遊びによるものである、という認識から出発している。この場合保持器ポケット内における転動体の軸線方向の遊びが、転がり軸受に関して重要である。保持器ポケット内における転動体の遊びは、転動体と保持器ポケットの間の保持器ポケット遊隙とも称される空気空間を生じる。【０００９】  従来技術による転がり軸受では、通常軸線方向に約０．２ｍｍの保持器ポケット遊隙が形成される。この値は多くの大きさの転がり軸受特に玉軸受に当てはまる。転動体と保持器ポケットとの間の遊びにおいて、転動体の面部分と保持器ポケットとが対向し、妨げられることなく互いに作用できる限り、保持器ポケット遊隙が転動体と保持器ポケットとの間の遊びの範囲に形成される。これは、転がり軸受特に前記の玉軸受の標準形式において一般に当てはまる。保持器ポケット遊隙の範囲に、潤滑剤があってもよい。【００１０】  本発明にとってまず重要なことは、転動体例えば玉が軸線方向に遊びをもって保持器ポケット内に案内されて、保持器ポケット遊隙が軸線方向に形成され、少なくとも複数の転動体なるべくすべての転動体においてこの遊隙が、０．０７ｍｍと０．１７ｍｍの間の範囲にある値を持っていることである。【００１１】  本発明の特別な利点は、簡単に実現される構造変化により、転がり軸受の保持器の範囲に生じる騒音の大幅な減少が行われることである。本発明による転がり軸受の製造費用を高めることになる余分な部材又は構造補足品は必要でない。【００１２】  本発明による転がり軸受では、騒音を生じる保持器の振動は起こらず、少なくとも著しい騒音減少が行われる。なぜならば、軸線方向における保持器ポケット遊隙が小さくされているからである。これにより特に半径方向における保持器の振動が防止される。【００１３】  ０．０７ｍｍ〜０．１７ｍｍの範囲にある軸線方向保持器ポケット遊隙の本発明による構成は、保持器の騒音を生じる振動を防止し、その際保持器ポケットにおける転動体の摩擦が少ない転がり運動が保証される。【００１４】  軸線方向保持器ポケット遊隙の本発明による縮小は、任意の保持器形状及び任意の転動体形状に対して適用可能である。【００１５】  あらゆる保持器ポケット形状例えば球欠形状、箱形状又は枠形状が転動体の軸線方向案内を行い、案内が遊びを必要とし、従って軸線方向における保持器ポケット遊隙が形成される。本発明によれば、複数の保持器ポケットにある保持器ポケット遊隙が、通常の公差の範囲にある所定の寸法を持っている。転がり軸受のすべての保持器ポケットにある保持器ポケット遊隙が、通常の公差の範囲にある所定の寸法を持っているのがよい。【００１６】  特に好ましい実施形態では、軸線方向の保持器ポケット遊隙が０．０９ｍｍ〜０．１１ｍｍの範囲にある値を持っている。なぜならば、この寸法が最適だからである。【００１７】  ０．０７ｍｍ〜０．１７ｍｍの範囲にある値を持つ軸線方向保持器ポケット遊隙の本発明による構成は、転がり軸受の大きさには大幅に無関係である。なぜならば、転動体の半径の絶対寸��及びそれに関係する保持器ポケットの半径の絶対寸法は、本発明により解決される保持器の振動の問題に殆ど影響を及ぼさないからである。【００１８】  転がり軸受に関して半径方向の保持器ポケット遊隙も、従来技術から公知の寸法に対して減少されているのがよい。特に（縮小される）半径方向の保持器ポケット遊隙が、（縮小される）軸線方向の保持器ポケット遊隙に対して幾何学的に関係している。複数の保持器ポケットにおける半径方向の保持器ポケット遊隙が０．３ｍｍと０．４ｍｍの間の値を持っているのがよい。特にこの遊隙が０．３５ｍｍと０．４５ｍｍとの間にあるのがよい。【００１９】  転がり軸受が玉軸受として、また転動体が玉として構成され、特に玉が５ｍｍと２５ｍｍの間の範囲にある値を持つ直径Ｄｗを持っているのが特に好ましい。【００２０】  本発明のそれ以外の利点、詳細及び展開は、図面を参照して複数の実施例の以下の説明からわかる。
【発明を実施するための最良の形態】
【００２１】  図１は本発明による転がり軸受の保持器０１の１つの方向から見た図を示す。図１のａ）は、保持器０１の保持器半分の４つのポケットを持つ部分の側方断面図を示す。図１のｂ）は、保持器０１の保持器半分の４つのポケットを持つ部分の正面図を示す。【００２２】  図１に示す保持器０１の半分は、玉軸受において転動体として動作する８つの玉（図示せず）の案内に役立つ。このため保持器０１は球欠状保持器ポケット０２を持っている。保持器ポケット０２の間に、鋲又は他の結合手段（図示せず）を通すため保持器０１にある穴０３が設けられている。玉軸受の組立てのため、保持器の両方の半分の間に８つの玉が設けられ、保持器０１の両方の半分が８つの鋲により互いに結合される。【００２３】  ８つの保持器ポケット０２は、環状の保持器０１に均一に分布されている。従って保持器ポケット０２の中心は、互いにそれぞれ４５°の角をなしている。球欠状保持器ポケット０２は、玉より少し大きく構成されているので、玉は遊びをもって保持器ポケット０１内に案内される。遊びは、保持器０１内における玉の自由な転がりを可能にする。更に玉と保持器ポケット０２との間の間隙に潤滑剤があるので、玉は保持器ポケット０２内を少ない摩擦で転がることができる。【００２４】  保持器ポケット０２の球欠形状は、転がり軸受の軸線の方向０４に軸線方向半径０６を持っている。それから生じる軸線方向直径は、玉の直径より大きくされている。これら両方の直径の差は、好ましい実施形態では０．１ｍｍであり、軸線方向における保持器ポケット遊隙に等しい。【００２５】  保持器ポケット０２の球欠形状は、すべての方向に同じ半径を持つのではなく、切断される楕円体の形状にほぼ一致している。楕円体は主軸に異なる半径を持っている。転がり軸受に関して半径方向０７では、保持器０１における玉の案内は、保持器ポケット０２の半径方向半径０８によって決定される。半径方向の半径０８は玉の半径より大きくされているので、半径方向０７に０．４ｍｍの値を持つ保持器ポケット遊隙が形成される。【００２６】  図２は、転がり軸受騒音と軸線方向及び半径方向保持器ポケット遊隙との関係を示すグラフを示している。クラフのｘ軸１２には、軸線方向の保持器ポケット遊隙の値がｍｍで記入されている。グラフのｙ軸１３には、半径方向の保持器ポケット遊隙の値がｍｍで記入されている。グラフに示される測定は、ドイツ規格ＤＩＮ６２５−１による形式６３１０の軸受について行われた。騒音発生の原因は、保持器及び転動体の絶対寸法に殆ど関係しないので、図示した測定結果は他の形式の転がり軸受に原理的に転用可能である。【００２７】  グラフには、それぞれ小さい円により示される１７個の測定結果が記入されている。検査された転がり軸受は４つのグループに区分される。４つの転がり軸受の第１のグループ１４は従来技術に相当し、これらの転がり軸受は公知の作動騒音を持っている。これらの軸受の軸線方向保持器ポケット遊隙は約０．２５ｍｍ〜０．３ｍｍである。半径方向の保持器ポケット遊隙は約０．７ｍｍである。【００２８】  更に大きい軸線方向及び半径方向の保持器ポケット遊隙を持つ転がり軸受は、更に著しい作動騒音を発生する。第２のグループ１６の転がり軸受では、軸線方向の保持器ポケット遊隙は約０．４ｍｍ〜０．５ｍｍであり、半径方向の保持器ポケット遊隙は約０．８ｍｍである。これらの転がり軸受はやかましい保持器騒音を発生する。【００２９】  軸線方向及び半径方向の保持器ポケット遊隙を小さくされた転がり軸受では、作動騒音が減少される。５つの転がり軸受の第３のグループ１７は、約０．１４ｍｍ〜０．２０ｍｍの軸線方向保持器ポケット遊隙及び約０．５ｍｍ〜０．６ｍｍの半径方向保持器ポケット遊隙を持っている。これらの軸受は小さい保持器騒音しか発生しない。【００３０】  本発明による転がり軸受の第４のグループ１８は、約０．０８ｍｍ〜０．１１ｍｍの軸線方向保持器ポケット遊隙及び約０．３７ｍｍ〜０．４３ｍｍの半径方向保持器ポケット遊隙を持っている。第４のグループ１８の本発明による転がり軸受は、保持器による測定可能な作動騒音を発生しない。【００３１】  曲線１９は、軸線方向保持器ポケット遊隙の厚さｘと半径方向保持器ポケット遊隙の厚さｙとの間の回帰により求められる数学的関係を示している。この関係は近似的に式
ｙ＝−２．２＊ｘ２＋２．４＊ｘ＋０．２１
により表される。
【図面の簡単な説明】
【００３２】
【図１】本発明による転がり軸受を２つの方向から見た図を示す。
【図２】保持器騒音と軸線方向及び半径方向の保持器ポケット遊隙との関係を示すグラフを示す。
【符号の説明】
【００３３】  ０１    保持器
０２    保持器ポケット
０３    鋲穴
０４    軸線方向
０６    保持器ポケットの軸線方向
０７    半径方向
０８    保持器ポケットの半径方向
１２    ｘ軸
１３    ｙ軸
１４    転がり軸受の第１のグループ
１６    転がり軸受の第２のグループ
１７    転がり軸受の第３のグループ
１８    転がり軸受の第４のグループ
１９    曲線
【図１ａ）】
2009537772.tif 000003
【図１ｂ）】
2009537772.tif 000004
【図２】
2009537772.tif 000005
【国際調査報告】
2009537772.tif 000006
2009537772.tif 000007
2009537772.tif 000008
2009537772.tif 000009
2009537772.tif 000010
2009537772.tif 000011